【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
作用物質を眼球に供給するための眼球イオン浸透療法装置であって、
截頭円錐形状を有する外壁とこの外壁によって少なくとも部分的に境界が定められる中空部分とを有するリザーバを備え、
前記中空部分は、導電性の媒質およびこの導電性の媒質に含まれている作用物質を受け入れることができるとともに、眼球表面の予め決められた部分を受け入れるための装着表面を画成する吐出口を有しており、
前記装着表面は、眼球の光軸に向かって凹状の外側線によって少なくとも部分的に定められており、
前記外壁は、前記外側線から前記光軸に対して外側へ向けて延び、
前記中空部分の境界を定める前記外壁の一部分は、前記光軸から実質的に離れる傾斜角を有することを特徴とする眼球イオン浸透療法装置。
【請求項２】
前記外側線が環状であることを特徴とする請求項１に記載した眼球イオン浸透療法装置。
【請求項３】
前記外側線が実質的に円形であることを特徴とする請求項２に記載した眼球イオン浸透療法装置。
【請求項４】
前記外壁が、前記光軸に対して実質的に一定な傾斜角を有していることを特徴とする請求項１に記載した眼球イオン浸透療法装置。
【請求項５】
前記外壁が、前記光軸に対して実質的に一定な傾斜角を有していることを特徴とする請求項２に記載した眼球イオン浸透療法装置。
【請求項６】
前記外壁が、前記光軸に対して実質的に一定な傾斜角を有していることを特徴とする請求項３に記載した眼球イオン浸透療法装置。
【請求項７】
前記外壁が、前記光軸の周りにテーパ状であることを特徴とする請求項６に記載した眼球イオン浸透療法装置。
【請求項８】
前記装着表面は、眼球の角膜の少なくとも一部をカバーするように設計されていることを特徴とする請求項１に記載した眼球イオン浸透療法装置。
【請求項９】
前記装着表面は、眼球の角膜の少なくとも一部および眼球の強膜の少なくとも一部をカバーするように設計されていることを特徴とする請求項１に記載した眼球イオン浸透療法装置。
【請求項１０】
前記装着表面は、眼球の強膜の少なくとも一部をカバーするように設計されていることを特徴とする請求項１に記載した眼球イオン浸透療法装置。
【請求項１１】
前記装着表面は、眼球の毛様体の少なくとも一部を投影方向にカバーするように設計されていることを特徴とする請求項１０に記載した眼球イオン浸透療法装置。
【請求項１２】
前記装着表面は、眼球の前房ひだ状毛様体の少なくとも一部を投影方向にカバーするように設計されていることを特徴とする請求項１１に記載した眼球イオン浸透療法装置。
【請求項１３】
前記装着表面は、眼球の後房扁平毛様体の少なくとも一部を投影方向にカバーするように設計されていることを特徴とする請求項１１に記載した眼球イオン浸透療法装置。
【請求項１４】
前記外壁が、約３０〜約４０度の範囲の傾斜角で前記光軸の周りにテーパ状であることを特徴とする請求項１１〜１３のいずれか一項に記載した眼球イオン浸透療法装置。
【請求項１５】
前記リザーバの前記外壁は、眼球上に装着される柔軟な前側部分を有しており、
前記リザーバの前記外壁は、前記柔軟な前側部分から延びる補強されたあるいは強固な後側部分を有していることを特徴とする請求項１に記載した眼球イオン浸透療法装置。
【請求項１６】
前記外壁の柔軟な前側部分は、前記装着表面から次第に離れるにつれて次第により強固になることを特徴とする請求項１５に記載した眼球イオン浸透療法装置。
【請求項１７】
前記外壁の柔軟な前側部分は、前記装着表面から次第に離れるにつれて次第により厚くなり、それによって前記次第に変化する剛性を達成することを特徴とする請求項１６に記載した眼球イオン浸透療法装置。
【請求項１８】
前記リザーバ壁の柔軟な前側部分が、前記リザーバから洩れ出る電流に対する障壁および前記リザーバ内への外側の汚染物質の侵入に対する障壁のうち、少なくとも一方を形成していることを特徴とする請求項１５〜１７のいずれか一項に記載した眼球イオン導入療法装置。
【請求項１９】
前記リザーバに前記導電性の媒質および前記作用物質を充填するための手段、および前記リザーバ内において前記作用物質を循環させるための手段のうち、少なくとも一つを更に備えていることを特徴とする請求項１に記載の眼球イオン浸透療法装置。
【請求項２０】
前記導電性の媒質は、導電性の液体およびゲルより成るグループから選択されることを特徴とする請求項１に記載した眼球イオン浸透療法装置。
【請求項２１】
前記導電性の媒質は有効成分を含み、
前記有効成分は、
ベタキソロール、レボブノロール、チモロール、カルテオロール、ベフノロール、またはメチプラノロールを含むベータ受容体遮断薬；
ブリモニジン、アプラクロニジン、またはジピベフリンを含むαアドレナリン作用性作動薬；
ドルゾラミド、ブリンゾラミド、アセタゾラミド、またはメタゾルアミドを含む酸脱水酵素阻害薬；
エピネフリン、フェニレフリン、ジペベフリン、またはアプラクロニジンを含む非特異的アドレナリン作動の作動薬あるいは交感神経様作動薬；
ピロカルピン、カルバコール、アセクリジン、またはエコチオパートを含むアセチルコリン性作動薬（抗コリンエステラーゼ薬）あるいは副交感神経作動薬；および
ラタノプロスト、ビマトプロスト、またはトラボプロストを含むプロスタグランジン類似体、
を含むグループから選択されることを特徴とする請求項１１〜１３のいずれか一項に記載した眼球イオン浸透療法装置。
【請求項２２】
分極したときに前記導電性の媒質を介して前記眼球に電界を供給する、前記リザーバに組み合わされた能動電極をさらに備え、
前記能動電極は前記中空部分の底部の近傍に配置され、
前記底部は前記装着表面に対向する表面であることを特徴とする請求項１に記載の眼球イオン浸透療法装置。
【請求項２３】
前記能動電極の面積が前記装着表面の面積より大きいことを特徴とする請求項２２に記載した眼球イオン浸透療法装置。
【請求項２４】
前記能動電極が、前記中空部分の底部と全体的に同一な形状を有していることを特徴とする請求項２２または２３に記載の眼球イオン浸透療法装置。
【請求項２５】
前記能動電極が貫通開口を有していることを特徴とする請求項２２または２３に記載の眼球イオン浸透療法装置。
【請求項２６】
前記能動電極は、作動の際に、１０ｍＡ／ｃｍ2以下の電流密度を呈して約１０分間分極するように構成されていることを特徴とする請求項２２または２３に記載の眼球イオン浸透療法装置。
【請求項２７】
前記リザーバが、前記中空部分の底部を閉じる端部壁をさらに有し、そこに前記能動電極が作られていることを特徴とする請求項２２または２３に記載の眼球イオン浸透療法装置。
【請求項２８】
前記能動電極は、
電気メッキ；
導電性材料のインクの付着；
導電性材料が充填された固体薄膜の蒸着；
導電層を形成するための導電性材料が充填されたポリマーのオーバーモールディング；および
導電性材料の一つのワイヤの付着；
のうちの少なくとも一つのプロセスによって前記リザーバの端部壁に直接的に形成されることを特徴とする請求項２７に記載した眼球イオン浸透療法装置。
【請求項２９】
前記電極が、前記装着表面に対して実質的に平行であることを特徴とする請求項２２または２３に記載した眼球イオン浸透療法装置。
【請求項３０】
強固な後側部分をさらに備え、前記電極が、この強固な後側部分と前記リザーバとの間に配置されていることを特徴とする請求項２２または２３に記載した眼球イオン浸透療法装置。